(57)【要約】【課題】悪意ある部外者の外部からの侵入に対して、その侵入に要する時間を増大させることにより、より高い防犯機能を達成することができるシャッター装置における施錠構造を提供する。【解決手段】ガイドレール４のガイド溝５を形成する対向側壁５ａ、５ｂのうち、屋内側に位置する側壁５ａの内面から屋外側の対向側壁５ｂ内面に臨んで出没自在な係止突片９を有する施錠機構８をガイドレール４に装着し、施錠機構８に対する屋内側での閉操作で突出した係止突片９の先端部９ａを、上記ガイドレール４内に呑み込まれたシャッターカーテン２のインターロック部２ｂに係止するようにした。【選択図】図８
2005180129.tif 000002
【特許請求の範囲】
【請求項１】
開口部に離間対設した左右一対のガイドレールのガイド溝に、上下に隣接する複数のスラットをインターロック部を介して連接してなるシャッターカーテンの左右両端部を呑み込ませ、上記ガイドレールに沿って昇降するシャッターカーテンにより開口部を開閉するように構成したシャッター装置において、上記ガイド溝を形成する対向側壁のうち、屋内側に位置する側壁の内面から屋外側の対向側壁内面に臨んで出没自在な係止突片を有する施錠機構をガイドレールに装着し、該各施錠機構に対する屋内側での閉操作で突出した係止突片の先端部を、上記ガイドレール内に呑み込まれたシャッターカーテンのインターロック部に係止するようにしたことを特徴とするシャッター装置における施錠構造。
【請求項２】
上記施錠機構は、平板状に形成した基台および係止突片と、上記基台に対して摺動自在な切替体とからなり、前記ガイドレールの屋内側に位置する側壁の内面に立姿状に面着固定した基台に、係止突片の上部側を回動自在に軸支し、かつ当該係止突片を、基台と係止突片との間に介在させた弾機により屋外側の対向側壁に向けて回動弾持すると共に、上記基台に対する切替体の上方摺動操作で、当該切替体の先端を係止突片の回動基端側に当接させて、係止突片を弾機の弾発力に抗して下動し、上記切替体の先端が係止突片の回動基端側から離間する切替体の下方摺動操作で、弾機の弾発力により係止突片を前記対向側壁側に回動させて、当該係止突片の先端部をインターロック部に上方から係止するように構成したことを特徴とする請求項１記載のシャッター装置における施錠構造。
【発明の詳細な説明】
【技術分野】
【０００１】
本発明は、複数のスラットを一連状に連接してなるシャッターカーテンが、全閉の施錠時において、悪意ある部外者により故意に開放されることを防止するシャッター装置における施錠構造に関するものである。
【背景技術】
【０００２】
建物開口部や窓開口部に設置されるシャッター装置では、複数のスラットを一連状に連接して構成されたシャッターカーテンを、手動または電動による開閉作動で当該開口部を開閉するようになっており、その設置の目的としては、防犯機能が主たるものとなっている。
【０００３】
そして、上記ように構成したシャッターカーテンの全閉状態において、従来はシャッターカーテンの最下部に位置する座板と、開口枠を形成する下枠との間に施錠装置を取り付けて屋外側からの外力により座板が開放方向に持ち上がらないように防犯機能を確保するようになっているが、上記座板と下枠との間に僅かな隙間が存在するため、悪意ある部外者がバール、鉄棒等をこの隙間に差し込み、施錠装置本体を破壊して、全閉するシャッターカーテンを持ち上げて内部へ侵入されてしまう惧れがあった。
【０００４】
しかしながら、従来においては上述した「座板と開口枠の下枠との間に施錠装置を設ける」という方法以外に有効な手段は提案されていなかった。
【特許文献１】該当なし
【発明の開示】
【発明が解決しようとする課題】
【０００５】
本発明は、上記の如き実状に鑑み、シャッター装置の基本的機能である防犯機能の更なる向上を追究する研究、開発の過程において、一般に認知されている座板と開口枠の下枠との間に施錠装置を設ける、という従来方法以外の防犯手段を屋内側に設けて、悪意ある部外者の外部からの侵入に対して、その侵入に要する時間を増大させることにより、より高い防犯機能を達成することができるシャッター装置における施錠構造を提供しようとするものである。
【課題を解決するための手段】
【０００６】
課題を解決するため、本発明が採用した第１の技術手段は、開口部に離間対設した左右一対のガイドレールのガイド溝に、上下に隣接する複数のスラットをインターロック部を介して連接してなるシャッターカーテンの左右両端部を呑み込ませ、上記ガイドレールに沿って昇降するシャッターカーテンにより開口部を開閉するように構成したシャッター装置において、上記ガイド溝を形成する対向側壁のうち、屋内側に位置する側壁の内面から屋外側の対向側壁内面に臨んで出没自在な係止突片を有する施錠機構をガイドレールに装着し、該各施錠機構に対する屋内側での閉操作で突出した係止突片の先端部を、上記ガイドレール内に呑み込まれたシャッターカーテンのインターロック部に係止するようにしたことを特徴とするものである。
【０００７】
本発明が採用した第２の技術手段は、上記施錠機構は、平板状に形成した基台および係止突片と、上記基台に対して摺動自在な切替体とからなり、前記ガイドレールの屋内側に位置する側壁の内面に立姿状に面着固定した基台に、係止突片の上部側を回動自在に軸支し、かつ当該係止突片を、基台と係止突片との間に介在させた弾機により屋外側の対向側壁に向けて回動弾持すると共に、上記基台に対する切替体の上方摺動操作で、当該切替体の先端を係止突片の回動基端側に当接させて、係止突片を弾機の弾発力に抗して下動し、上記切替体の先端が係止突片の回動基端側から離間する切替体の下方摺動操作で、弾機の弾発力により係止突片を前記対向側壁側に回動させて、当該係止突片の先端部をインターロック部に上方から係止するように構成したことを特徴とするものである。
【発明の効果】
【０００８】
したがって本発明によれば、平常時には、ガイドレール内に配設された施錠機構の係止突片は、弾機の弾発力に抗して解錠位置まで回動しており、ガイドレール内を昇降移動するシャッターカーテンの通常の開閉作動に支障を来すことがない。
【０００９】
また、開口部を全閉する場合には、シャッターカーテンの座板が下枠に当接するまで当該カーテンを下降させた後に、座板に設けた施錠装置によりシャッター装置を施錠すると共に、ガイドレールに設けた施錠機構を施錠状態に切り替えればよい。この時、上記施錠機構の配設位置に近接してガイドレールに呑み込まれている上下スラットのインターロック部に施錠機構の係止突片が係止される。
【００１０】
このようなシャッター装置に対して、悪意ある部外者がバール、鉄棒等を座板と下枠との隙間に進入させて、座板の施錠装置を破壊しようとした場合、当該施錠装置が破壊されたとしても、ガイドレールに設けた施錠機構が施錠状態を保持しているため、シャッターカーテンは座板から上方への移動が不可能であり、また屋外側からは座板以外の施錠位置の特定が困難となって、シャッターカーテンの開放は全く行うことができず、シャッター装置の破壊に要する時間が多大となって悪意ある部外者を屋内への侵入を諦めざるを得ない状況に追い込むことができる。
【００１１】
したがって、防犯機能を向上させるものでありながら、施錠機構としてはスラットのインターロック部をそのまま施錠のための構成部材として利用する事ができ、部品点数の低減を図ることができると共に、ガイドレールに呑み込まれている上下スラットのインターロック部に対して、ガイドレールの任意の位置に必要に応じて複数の施錠機構を簡単に装備させることができ、シャッター装置を設置する開口部の種類あるいは周辺環境に適宜対応した防犯機能を付与することができる。
【００１２】
更に、上下スラットのインターロック部に施錠機構の係止突片を係止するように構成したので、例えば、任意の開口高さまで開放した状態でシャッターカーテンに施錠することが可能となり、全閉状態での防犯機能のみであった従来の施錠装置に比して、「任意の開口高さでの施錠」という新たな機能をシャッター装置に付加することができ、需用者毎に異なるシャッター装置の使用状況に応じたシャッターカーテンの施錠状態を容易に設定できるようになる。
【実施例１】
【００１３】
本発明の構成を、添付図面に示した実施の形態に基づいて詳細に説明する。
図１において、１は窓開口部に設置された手動で開閉操作を行うシャッター装置であって、２は複数のスラット２ａ、２ａ…をインターロック部２ｂ、２ｂ…を介して連接してなるシャッターカーテン、３は図示しない巻き取りドラムを内装したシャッターケース、４、４は上記シャッターカーテン２の左右両端部を呑み込む後述するガイド溝５、５を形成して離間対向する左右のガイドレールであり、上記シャッターケース３内の巻き取りドラムの正逆回転駆動によってシャッターカーテン２をガイドレール４、４に沿って昇降移動させることにより窓開口部１を開閉するよう構成されており、シャッターカーテン２の全閉時には、当該シャッターカーテン２の最下部に位置する座板６に施錠操作部７ａを設け、左右のガイドレール４、４の下端に設けたラッチ掛かり７ｂ、７ｂに係止杆７ｃ、７ｃを係脱自在に出没するように構成した施錠装置７と、上記ガイドレール４、４の中間部位に装着した施錠機構８、８をそれぞれ施錠するように構成されている。
なお、上記施錠装置７のラッチ掛り７ｂ、７ｂは、図１０、１１に示すように、係止杆７ｃの先端を傾斜面ａを有して落とし込む掛り部ｂを上向きコ字形の本体部ｃに内嵌溶着してなり、ガイド溝５を形成するガイドレール４の下端位置で対向側壁５ａ、５ｂ間に上記ラッチ掛り７ｂ、７ｂの本体部ｃをリベットｄ、ｄ…で連接固定することにより、バールｅなどで外部から容易にガイドレール４下端をこじ開けることができないように配慮されている。
【００１４】
上記ガイドレール４、４は、図２に示すように、ガイド溝５を形成する対向側壁５ａ、５ｂのうち、屋内側に位置する側壁５ａの内面から屋外側の対向する側壁５ｂの内面に臨んで出没自在な係止突片９を有する施錠機構８を各ガイドレール４、４の中間部位にそれぞれ装着し、後述する各施錠機構８、８に対する屋内側Ａでの閉操作で突出した係止突片９の先端縁９ａを、上記ガイドレール４、４内に呑み込まれたシャッターカーテン２両端部のインターロック部２ｂ、２ｂに係止するようになっている。なお１０、１０は、上記ガイドレール４の屋内側に位置する側壁５ａの外面で上下スライド可能な施錠機構８の切替ツマミ、１１、１１はシャッター装置１を設置する窓開口部において出窓形式とする場合に、図示しない窓枠およびシャッター装置１を建物の躯体外方に持ち出す構成で採用される補助縦枠である。
【００１５】
上記施錠機構８は、図３〜図６に示すように、平板状に形成した本体１２の左右側縁を起立して離間対向する立上り面１３、１３を形成し、かつ当該面１３、１３間に支軸１４を水平状に挿通する挿通孔１５を穿設してなる基台１６と、平板状の突片本体１７の長手方向両側縁を起立して離間対向する補強面１８、１８を一体形成し、かつ上記基台１６の支軸１４を同軸状に挿通する挿通孔１９、１９を当該補強面１８、１８に形成した係止突片９と、上記基台１６の立上り面１３、１３間に遊嵌され、当該立上り面１３、１３に沿って摺動自在な切替体２０と、上記基台１６の支軸１４に挿通されるコイル弾機２１で構成されている。
【００１６】
上記切替体２０は、図５（ａ）〜（ｅ）に示すように、本体２２の両側縁を起立して離間対向させた摺動案内面２３、２３に、案内溝２４、２４を切欠形成すると共に、上記本体２２の上部を摺動案内面２３の高さまで立ち上げ折曲し、更にその余長部を折返し折曲して先端部２２ａを一体に形成して構成されている。また、係止突片９には、その突片本体１７の先端側を切り欠いて斜縁９ａ´を有する先端縁９ａが形成されており、上記摺動案内面２３、２３の挿通孔１９、１９を基点として上記先端縁９ａ側を回動自在とするようになっている。なお、添付した図面では、図１において右のガイドレール４に装着される施錠機構８について説明しているが、左のガイドレール４に装着される施錠機構８では、図３（ａ）に示した突片本体１７のみが、当該図示において左右対称に表れる構成を有して装着される（図２（ｂ）参照）。
【００１７】
一方、上記コイル弾機２１は、図４（ｄ）（ｅ）および図６に示すように、基台１２と係止突片９を、それぞれの挿通孔１５、１５および挿通孔１９、１９を合致させた組み付け状態で、支軸１４を各孔１５、１９に挿通する際に同軸状に組み込まれ、当該コイル弾機２１の両端から延出する直線状の腕部２１ａを係止突片９の突片本体１７裏面に当て、かつ先端を鉤状に折曲した腕部２２ｂを基台１６の本体１２に切り欠き形成した凹部１２ａに係止させて、図４（ｅ）に示すような弾発力を両部材９、１６間で保持させるように構成されている。なお、２５は基台１６の立上り面１３、１３間で前記支軸１４と離間平行状に挿通固定される案内軸である。また、２６、２６は本体１２に穿設した取付孔であって、該取付孔２７、２７を介してガイドレール４の屋内側に位置する側壁５ａの内面に施錠機構８を取り付けるようになっている。
【００１８】
そして、上記各構成部材により施錠機構８を構成する場合、上述の図４（ｅ）に示す如く係止突片９と基台１６の組み込みを完了した後に、図６（ｂ）に示すように、切替体２０を、その先端部２２ａから基台１６の立上り面１３、１３間で案内溝２４を案内軸２５に沿わせて差し込み、当該先端部２２ａが係止突片９（突片本体１７）の基端側面の裏面に当接し、さらに進入させると係止突片９の基端側面の裏面が上記先端部２２ａに押圧されて支軸１４を回動支点として矢印方向に回動し、この時点で施錠機構８の組立てが完了することになる。このように構成された施錠機構８は、基台１６の本体１２に穿設した取付孔２６、２６を介してガイドレール４の中間部位で屋内側に位置する側壁５ａの内面に取り付け、切替体２０の上下移動範囲で切り欠いた側壁５ａの所定部位（図示せず）に、屋内側Ａから切替ツマミ１０を当該切替体２０に固定する。
【００１９】
次に、叙上のように構成された施錠機構８を採用するシャッター装置１におけるシャッターカーテン２の開放、閉鎖動作について説明する。
【００２０】
平常時のシャッターカーテン１の開放、閉鎖では、図７に示すように、施錠機構８は、切替ツマミ１０が上方に押し上げられて「開」の状態に保持され、切替体２０の先端部２２ａが、係止突片９を構成する突片本体１７の回動基端側の裏面を押圧し、これに伴ってコイル弾機２１の弾発力に抗して係止突片９はシャッターカーテン１側に突出していない解錠位置まで回動している。
【００２１】
このようなシャッターカーテン１を全閉状態で施錠する場合は、座板６に設けた施錠装置７の施錠と共に、図８に示すように、左右のガイドレール４、４に設けた各施錠機構８、８の切替ツマミ１０を下方押し下げて「閉」に切り替える。この時、上記切替ツマミ１０の下方への移動により切替体２０も基台１６の立上り面１３に案内されて下方へ移動し、切替体２０の先端部２２ａが下方に縮入すると、係止突片９（突片本体１７）の回動基端側面の裏面への当接が解除されて、当該係止突片９が支軸１４を回動支点としてコイル弾機２１の付勢力により矢印方向の対向側壁５ｂ側に回動する。そして、上記係止突片９の先端縁９ａが、施錠機構８の近傍に位置する上下のスラット２ａ、２ａ間のインターロック部２ｂ近辺で上位のスラット２ａ裏面に当接し、各施錠機構８、８が施錠状態を保持することになる。
【００２２】
上記のように施錠装置７および各施錠機構８、８により施錠状態となっているシャッター装置１に対して、悪意ある部外者が、座板６と下枠との間の隙間にバール、鉄棒等を差し込みことにより、当該施錠装置７を破壊したとしても、全閉状態にあるシャッターカーテン２を持ち上げようとした際、各施錠機構８、８の近傍に位置する上位スラット２ａの裏面に当接していた係止突片９の先端縁９ａが、下位スラット２ａとのインターロック部２ｂに上方から係止され、部外者がシャッターカーテン２を持ち上げようとしても、シャッターカーテン２は閉鎖状態を保持したままとなる。
【００２３】
更に、図９に示すように、部外者が座板６を屋外側Ｂに引き出しながらシャッターカーテン２を持ち上げようとして、当該シャッターカーテン２が屋外側Ｂに膨出変形した場合、その両端部のインターロック部２ｂに、係止突片９の斜縁９ａ´を有して切り欠かれた先端縁９ａが、コイル弾機２１により常にスラット２ａ側への弾発力が保持された状態で係止されているので、当該係止状態を解除することは不可能となる。
【００２４】
ここで、斜縁９ａ´を形成しない先端縁９´ａで突片本体１７´を構成した係止突片９´とすると、図１２（ａ）に示すように、悪意ある部外者がガイドレール４の対向側壁５ｂをバール等で拡開した場合に、ガイドレール４の底部側の角部Ｘ近傍で先端縁９´ａが対向側壁５ｂ内面に当接してそれ以上の係止突片９´の回動追従が規制されて、屋外側Ｂへの持ち出しにより膨出変形したシャッターカーテン２のインターロック部２ｂに対して先端縁９´ａが係止されなくなる惧れがあるが、本発明では同図（ｂ）に示すように、斜縁９ａ´の存在により上述の規制に対する「逃げ」を確保することができ、係止突片９を屋外側に十分に回動追従させて、インターロック部２ｂに対する係止突片９の係止状態をより一層確実にならしめて高い防犯能力を保持できる。
【００２５】
したがって、外部からは確認できない各施錠機構８、８の存在により、侵入に要する時間を長引かせることができ、部外者に侵入を諦めさせて安全を確保することができる。
【図面の簡単な説明】
【００２６】
【図１】シャッター装置の屋内側から見た全体正面図
【図２】（ａ）は施錠機構の一部省略要部拡大正面図、（ｂ）は同上要部断面図
【図３】（ａ）は解錠状態の施錠機構の正面図、（ｂ）は同上側面図、（ｃ）は施錠状態の施錠機構の正面図、（ｂ）は同上側面図
【図４】（ａ）は基台の組立説明図、（ｂ）は基台と係止突片の組立説明図
【図５】（ａ）は切替体の形状を示す説明図、（ｂ）は係止突片の形状を示す説明図
【図６】（ａ）は施錠機構の構成部材の配置を示す説明図、（ｂ）は基台に対する切替体の組み込みを示す説明図
【図７】（ａ）は平常時のガイドレール、スラットおよび施錠機構の位置関係を示す横断面図、（ｂ）は同上縦断面図、（ｃ）は同上正面図
【図８】（ａ）は施錠状態のガイドレール、スラットおよび施錠機構の位置関係を示す横断面図、（ｂ）は同上縦断面図、（ｃ）は同上正面図
【図９】（ａ）は施錠状態でスラットの変形が生じた場合ののガイドレール、スラットおよび施錠機構の位置関係を示す横断面図、（ｂ）は同上縦断面図、（ｃ）は同上正面図
【図１０】（ａ）は施錠装置のラッチ掛りの拡大平面図、（ｂ）は同正面図、（ｃ）は同左側面図
【図１１】（ａ）はガイドレールに組み込んだラッチ掛りの横断面図、（ｂ）は同縦断面図、（ｃ）は同右側面図
【図１２】（ａ）は斜縁を形成しない先端縁で突片本体を構成した係止突片と、バール等で拡開されたガイドレールとの位置関係を示す横断面図、（ｂ）は斜縁を形成した先端縁で突片本体を構成した本発明の係止突片と、バール等で拡開されたガイドレールとの位置関係を示す横断面図
【符号の説明】
【００２７】
１  シャッター装置
２  シャッターカーテン
２ａ  スラット
２ｂ  インターロック部
４  ガイドレール
５  ガイド溝
５ａ  側壁
５ｂ  側壁
８  施錠機構
９  係止突片
９ａ  先端部
１２  本体
１３  立上り面
１４  支軸
１６  基台
１７  突片本体
１８  補強面
１９  挿通孔
２０  切替体
２１  コイル弾機
２２ａ  先端部
Ａ  屋内側
Ｂ  屋外側
【図１】
2005180129.tif 000003
【図２】
2005180129.tif 000004
【図３】
2005180129.tif 000005
【図４】
2005180129.tif 000006
【図５】
2005180129.tif 000007
【図６】
2005180129.tif 000008
【図７】
2005180129.tif 000009
【図８】
2005180129.tif 000010
【図９】
2005180129.tif 000011
【図１０】
2005180129.tif 000012
【図１１】
2005180129.tif 000013
【図１２】
2005180129.tif 000014